(57)【特許請求の範囲】
【請求項１】
電源回路及び前記電源回路で生成される電圧の基準となる電圧を生成する手段（以下、基準電圧生成手段という）を有する主基板と、前記主基板の電源回路と接続されることによって駆動される回路を含む１枚又は複数枚の副基板とから構成される電気回路装置であって、
前記副基板は、前記主基板の電源回路とは異なる外部電源回路と接続可能な外部端子と、前記主基板の電源回路又は前記外部電源回路から供給される電圧に対する基準電圧生成手段とを備え、
前記副基板を前記主基板から分離した状態では、前記副基板に前記外部電源回路から電圧を供給して単体調整を行ない、
前記主基板と前記副基板とを電気的に接続した場合には、前記主基板から副基板に電源電圧を供給するとともに、前記副基板の基準電圧生成手段から前記主基板へ基準電圧を供給するように構成したことを特徴とする電気回路装置。
【請求項２】
前記主基板及び副基板の基準電圧生成手段は、いずれもツェナーダイオードであることを特徴とする請求項１に記載の電気回路装置。
【請求項３】
前記副基板のいずれか一枚で生成される基準電圧が他の副基板及び主基板の基準電圧のいずれよりも小さく設定されていることを特徴とする請求項２に記載の電気回路装置。
【請求項４】
前記主基板には基準電圧生成手段を前記電源回路から分離する手段を設け、前記主基板と副基板とを組み合わせて電気回路装置を構成した後には、いずれか１枚の副基板から基準電圧を前記主基板に供給するとともに、前記主基板の基準電圧生成手段を電気的に動作させないようにすることを特徴とする請求項１又は２に記載の電気回路装置。
【請求項５】
前記電源回路から分離する手段は、前記主基板と副基板とを組み合わせた際にオフするトランジスタであることを特徴とする請求項４に記載の電気回路装置。
【請求項６】
前記電源回路から分離する手段として、前記主基板と副基板とを組み合わせた際に前記基準電圧生成手段を構成する回路基板の一部を破棄可能に構成したことを特徴とする請求項４に記載の電気回路装置。
【請求項７】
前記電源回路から分離する手段は、前記主基板と副基板とを組み合わせた際にオフ可能な機械的スイッチであることを特徴とする請求項４に記載の電気回路装置。
【請求項８】
前記電源回路から分離する手段として、前記主基板と副基板とを組み合わせた際に前記基準電圧生成手段の一部を切断可能な可撓性を有する絶縁電線で構成したことを特徴とする請求項４に記載の電気回路装置。
【発明の詳細な説明】
【０００１】
【発明の属する技術分野】
この発明は、主基板と副基板とに分割された状態でそれぞれの回路調整を可能にした電気回路装置に関する。
【０００２】
【従来の技術】
例えば磁気記録再生装置の電気回路のように、規模の大きな電気回路を構成する場合には、回路基板の取り扱いを簡便なものとする等の理由から、複数の回路基板が組み合わされて使用される。
【０００３】
図７は、従来の磁気記録再生装置の電気回路であって、主要に電源回路に係わる部分を示すブロック図である。
【０００４】
ここで、磁気記録再生装置の回路基板は、主基板１と副基板２に分けて製造されて，それぞれ主基板１と副基板２との間でリード線またはコネクタによって電気的接続がとられることにより、磁気記録再生装置として成り立つものである。
【０００５】
図において、主基板１は基準電圧生成回路３、電源回路４、制御回路５、音声回路６などを含んでいる。また、副基板２には、信号処理回路７だけが形成されている。
【０００６】
上記基準電圧生成回路３は電源回路４での基準電圧（５Ｖ）を生成するツェナーダイオードＺＤを含む回路であり、ツェナーダイオードＺＤのアノード及びカソード端子間には、その間に流れる電流により一定の電圧（５Ｖ）が発生する。上記電源回路４は、基準電圧に基づいて主基板１の音声回路６と副基板２の信号処理回路７を動作させるために必要な電源電圧（以下、ＳＷ５Ｖという）を生成しており、副基板２に対して電源ライン８及び接続端子８ａ，８ｂを介して、このＳＷ５Ｖを信号処理回路７に供給している。また、上記制御回路５は磁気記録再生装置のＯＮとＯＦＦの制御を行うものであって、制御回路５から出力されるＰＷＶバー信号のＯＮとＯＦＦに応じて、電源回路４のＯＦＦ、ＯＮを切換えている。
【０００７】
このように構成される磁気記録再生装置の回路基板は、基板上の各電気部品、例えばトランジスタ、抵抗、コイル、コンデンサなどにバラつきなどがあるため、製造工程において各電気部品を調整して、電気回路が正しく動作するように設定する必要がある。これらの製造工程で調整される電気部品として、主基板１には音声回路６を調整するための可変抵抗などが設けられており、副基板２には信号処理回路７を調整する可変抵抗などが設けられている。これらの回路調整は、調整対象となる出力信号を測定器などで確認しながら実施されるため、それぞれの基板１、２に上記ＳＷ５Ｖが供給され、各回路が動作しているときのみ調整可能となる。
【０００８】
ところが、副基板２には上記ＳＷ５Ｖを独自に生成する電源回路が設けられていないため、製造工程において副基板２を単体として回路調整する単体調整ができず、通常は主基板１と組み合わされてから回路調整が実施されていた。
【０００９】
また、副基板２の単体調整のためには、ＳＷ５Ｖと同等の電圧（以下、ＳＷ５Ｖ’という）を生成する外部電源回路を用意し、それを接続端子８ｂから信号処理回路７に供給して回路調整するということも可能である。しかし、主基板１からのＳＷ５Ｖと外部電源回路からのＳＷ５Ｖ’では、生成される電圧値の差をなくすことが容易ではない。特に、主基板１より副基板２の方がＳＷ５Ｖの電圧のバラつきに対し裕度がない場合、ＳＷ５Ｖ’で副基板２を動作させたときと主基板１と副基板２を組み合わせたときでは、副基板２に形成された信号処理回路の回路動作も異なってくる。したがって、副基板２は主基板１と接続しなければ、正確な回路調整が不可能となることがあった。
【００１０】
【発明が解決しようとする課題】
以上のように、従来の電気回路装置によれば、製造工程の最終工程で主基板１と副基板２を組み合わて所定の基板設置位置に取付けた後に、それぞれの基板の可変抵抗等を調整する必要があった。すなわち、回路調整を製造工程の中間で実施することができず、製品としてほとんどが出来上がってしまう最終工程で行なわなければならないため、回路調整時に測定対象となる電気信号をそれぞれの基板から取り出して、測定器に入力することが難しかった。また、可変抵抗が基板上で手の届きにくい位置にある場合には、調整ミスが生じやすかった。したがって従来の回路調整方式は、回路調整手順が複雑になり易く、回路調整を始めるまでに時間がかかったり、調整不良が増えるなど、製造工程全体の手間と時間の増加をもたらすという問題があった。
【００１１】
この発明は、上述のような課題を解決するためになされたもので、製造工程における回路調整の簡略化及び時間短縮を可能にする電気回路装置を提供することを目的とする。
【００１２】
【課題を解決するための手段】
この発明に係る電気回路装置は、電源回路及び前記電源回路で生成される電圧の基準となる電圧を生成する手段（以下、基準電圧生成手段という）を有する主基板と、前記主基板の電源回路と接続されることによって駆動される回路を含む１枚又は複数枚の副基板とから構成される電気回路装置であって、前記副基板は、前記主基板の電源回路とは異なる外部電源回路と接続可能な外部端子と、前記主基板の電源回路又は前記外部電源回路から供給される電圧に対する基準電圧生成手段とを備え、前記副基板を前記主基板から分離した状態では、前記副基板に前記外部電源回路から電圧を供給して単体調整を行ない、前記主基板と前記副基板とを電気的に接続した場合には、前記主基板から副基板に電源電圧を供給するとともに、前記副基板の基準電圧生成手段から前記主基板へ基準電圧を供給するように構成したものである。
【００１３】
この発明の請求項２に係る電気回路装置は、主基板及び副基板の基準電圧生成手段がいずれもツェナーダイオードで構成されたものである。
【００１４】
この発明の請求項３に係る電気回路装置は、副基板のいずれか一枚で生成される基準電圧が他の副基板及び主基板の基準電圧のいずれよりも小さく設定されているものである。
【００１５】
この発明の請求項４に係る電気回路装置は、主基板には基準電圧生成手段を電源回路から分離する手段を設け、主基板と副基板とを組み合わせて電気回路装置を構成した後には、いずれか１枚の副基板から基準電圧を主基板に供給するとともに、主基板の基準電圧生成手段を電気的に動作させないようにしたものである。
【００１６】
この発明の請求項５に係る電気回路装置は、電源回路から分離する手段が主基板と副基板とを組み合わせた際にオフするトランジスタである。
【００１７】
この発明の請求項６に係る電気回路装置は、電源回路から分離する手段として、主基板と副基板とを組み合わせた際に基準電圧生成手段を構成する回路基板の一部を破棄可能に構成したものである。
【００１８】
この発明の請求項７に係る電気回路装置は、電源回路から分離する手段が前記主基板と副基板とを組み合わせた際にオフ可能な機械的スイッチである。
【００１９】
この発明の請求項８に係る電気回路装置は、電源回路から分離する手段として、主基板と副基板とを組み合わせた際に基準電圧生成手段の一部を切断可能な可撓性を有する絶縁電線で構成したものである。
【００２０】
【発明の実施の形態】
以下、添付した図面を参照して、この発明を磁気記録再生装置に適用した場合の実施の形態について説明する。
【００２１】
実施の形態１．
図１は、この発明の実施の形態１を示すものである。磁気記録再生装置の電気回路の基板は、それぞれ主基板１と１枚又は複数枚の副基板２に分けて製造され、最終工程で主基板１と副基板２との間でリード線またはコネクタを用いて電気的接続をとることにより、磁気記録再生装置として完成されるものである。
【００２２】
図１において、１は主基板であり、基準電圧生成回路３、電源回路４、制御回路５、音声回路６などが設けられている。また、副基板２には、信号処理回路７とともに、副基板２を単体で回路調整するために必要となる基準電圧生成回路９が形成されている。この基準電圧生成回路９は、基準電圧を生成するツェナーダイオードＺＤ’を含んで構成されており、基準電圧生成回路３のツェナーダイオードＺＤの端子間電圧は、副基板２の基準電圧生成回路９のツェナーダイオードＺＤ’の端子間電圧より大きく設定されている。したがって、主基板１と副基板２とを接続したとき、基準電圧生成回路９により電源回路４の基準となる電圧が生成される。なお、図１では、従来装置として説明した図７のものと同一部分に、対応する参照符号を付けている。
【００２３】
つぎに、上述のように構成された電気回路装置の動作について説明する。
【００２４】
副基板２を単体調整するときは、まずＳＷ５Ｖに略等しい電源電圧を生成可能な外部電源回路を用意する。
【００２５】
図２は、外部電源回路１００を副基板２に接続した状態で示す図である。
【００２６】
この外部電源回路１００を、それぞれ基準電圧生成回路９のバイアス用の外部端子９ａ、基準電圧出力用の外部端子９ｂ、及び電源電圧ＳＷ５Ｖ供給用の外部端子８ｂと接続する。基準電圧生成回路９のツェナーダイオードＺＤ’の基準電圧と上記外部電源回路の電源電圧とから、副基板２が必要とするＳＷ５Ｖが生成され、これが接続端子８ｂによって副基板２に供給されることにより、信号処理回路７を動作させることができる。したがって副基板２が単体であっても、ＳＷ５Ｖによる信号処理回路７の回路調整が可能になる。
【００２７】
また、主基板１における基準電圧生成回路３のツェナーダイオードＺＤの端子間電圧は、副基板２の基準電圧生成回路９のツェナーダイオードＺＤ’の端子間電圧より大きく設定されているから、主基板１と副基板２を図１に示すように接続したときには、主基板１の基準電圧生成回路３は動作せず、基準電圧を生成する回路は副基板２の基準電圧生成回路９だけとなる。
【００２８】
なお、主基板１の音声回路６は、基準電圧生成回路３及び電源回路４により単体で回路調整を行なうことができる。
【００２９】
このように、上述した電気回路装置では、それぞれの基板１、２を単体で調整することができるため、回路調整が主基板１と副基板２とを組み合わせる前に行うことができる。したがって、各基板１、２から回路調整の対象となる電気信号を取り出し、測定器に入力することが容易になり、可変抵抗等も手の届き易い位置で操作可能になる。そして、単体での回路調整のときと、主基板１と組み合わせたときとで、副基板２に供給されるＳＷ５Ｖの大きさに変化が生じないから、副基板２の回路動作を調整する回路調整工程を簡略化でき、その時間短縮も図ることができる。
【００３０】
以上では、副基板２が主基板１に一つだけ接続されて電気回路装置（磁気記録再生装置）を構成しているものとして説明したが、単体で回路調整を必要とする複数の副基板を主基板に接続する場合には、それら副基板のいずれか一枚で生成される基準電圧が、他の副基板及び主基板の基準電圧のいずれよりも小さく設定されていれば、主基板と各副基板を組み合わせた場合に、上記一枚の副基板で生成される基準電圧だけが各基板に供給されることになる。
【００３１】
実施の形態２．
図３に示す実施の形態２の電気回路装置では、実施の形態１の場合と異なり、主基板１の基準電圧を生成する回路１０として、ツェナーダイオードＺＤに直列にトランジスタ１１を接続している。すなわち、トランジスタ１１のコレクタはツェナーダイオードＺＤと接続され、エミッタは接地される。また、トランジスタ１１のベースは、電源回路４と接続されるとともに、外部端子１０ａと副基板２の外部端子２ａとを接続したときには、接地されるように構成されている。これにより、以下に説明するように、実施の形態１の電気回路装置と同様な動作を行なう。
【００３２】
すなわち副基板２を単体調整するときは、基準電圧生成回路９のバイアス用の外部端子９ａ、基準電圧出力用の外部端子９ｂ、及び電源電圧ＳＷ５Ｖ供給用の外部端子８ｂを、それぞれ図２に示すように外部電源回路１００と接続する。これにより、信号処理回路７を動作させることができ、副基板２が単体であっても信号処理回路７の回路調整が可能になる。
【００３３】
また、主基板１を単体調整するときは、電源回路４からトランジスタ１１のベースに電流が流れ込んでトランジスタ１１がオン動作するため、基準電圧生成回路１０のツェナーダイオードＺＤとグランド間は導通状態となり、ツェナーダイオードＺＤにおいて基準電圧が発生する。
【００３４】
さらに、主基板１と副基板２とを組み合わせたときは、トランジスタ１１のベースが副基板２の外部端子２ａを介して接地されるため、トランジスタ１１はオフとなって、基準電圧生成回路１０のツェナーダイオードＺＤとグランド間は絶縁状態となり、ツェナーダイオードＺＤに電流が流れなくなって基準電圧は発生しない。すなわち、主基板１と副基板２とが組み合わせられた時には、主基板１の基準電圧生成回路１０が動作せず、基準電圧を生成する回路は副基板２の基準電圧生成回路９だけとなる。したがって、実施の形態１と同様に製造工程の途中であってもそれぞれの基板の単体調整を容易に実施することができ、しかも、単体での回路調整のときと、主基板１と組み合わせたときとで、副基板２に供給されるＳＷ５Ｖの大きさが変化しないから、回路調整を行なう工程が簡略化でき、時間短縮にもなる。
【００３５】
実施の形態３．
図４に示す実施の形態３の電気回路装置では、主基板１の基準電圧生成回路１２が、実施の形態２のトランジスタに代えて、回路の一部を破棄可能に構成した基板部分１３を含んでいる。ただし、この基板部分１３を破棄する前に、主基板１の単体調整を実行する必要がある。なお、図４では、実施の形態２として説明した図３のものと同一部分に、対応する参照符号を付けている。
【００３６】
つぎに、上述のように構成された電気回路装置の動作について説明する。
【００３７】
まず、副基板２を単体調整するときは、基準電圧生成回路９のバイアス用の外部端子９ａ、基準電圧出力用の外部端子９ｂ、及び電源電圧ＳＷ５Ｖ供給用の外部端子８ｂを、それぞれ図２に示すように外部電源回路１００と接続する。これにより、信号処理回路７を動作させることができ、副基板２が単体であっても信号処理回路７の回路調整が可能になる。
【００３８】
また、主基板１を単体調整するときは、基準電圧生成回路１２のツェナーダイオードＺＤとグランド間の接続回路をなす基板部分１３によって、基準電圧生成回路１２のツェナーダイオードＺＤとグランド間が導通状態となっているから、ツェナーダイオードＺＤにおいて基準電圧が発生する。
【００３９】
さらに、主基板１と副基板２とを組み合わせるにあたって、基板部分１３を破棄することによって、基準電圧生成回路１２のツェナーダイオードＺＤとグランド間が絶縁状態となり、ツェナーダイオードＺＤに電流が流れなくなって基準電圧は発生しない。そのため、その後に主基板１と副基板２を組み合わせたときには、主基板１の基準電圧生成回路１２が動作せず、基準電圧を生成する回路は副基板２の基準電圧生成回路９だけとなる。したがって、実施の形態１と同様に製造工程の途中であってもそれぞれの基板の単体調整を容易に実施することができ、しかも、単体での回路調整のときと、主基板１と組み合わせたときとで、副基板２に供給されるＳＷ５Ｖの大きさが変化しないから、回路調整を行なう工程が簡略化でき、時間短縮にもなる。
【００４０】
実施の形態４．
図５に示す実施の形態４の電気回路装置では、主基板１の基準電圧生成回路１４内で、実施の形態２のトランジスタに代えて、ツェナーダイオードＺＤに対してオンオフ可能な機械的スイッチ１５が直列接続されている。以下に説明するように、このスイッチ１５をオンオフ操作することによって、実施の形態１の電気回路装置と同様な動作を行なうことができる。
【００４１】
すなわち副基板２を単体調整するときは、基準電圧生成回路９のバイアス用の外部端子９ａ、基準電圧出力用の外部端子９ｂ、及び電源電圧ＳＷ５Ｖ供給用の外部端子８ｂを、それぞれ図２に示すように外部電源回路１００と接続する。これにより、信号処理回路７を動作させることができ、副基板２が単体であっても信号処理回路７の回路調整が可能になる。
【００４２】
また、主基板１を単体調整するときは、スイッチ１５をオン状態にして、基準電圧生成回路１４のツェナーダイオードＺＤとグランド間を導通状態とすることで、ツェナーダイオードＺＤにおいて基準電圧が発生する。
【００４３】
さらに、主基板１と副基板２とを組み合わせたときは、スイッチ１５をオフ状態に切換えて、基準電圧生成回路１４のツェナーダイオードＺＤとグランド間を絶縁状態とする。これによってツェナーダイオードＺＤに電流が流れなくなって基準電圧は発生しない。すなわち、主基板１と副基板２とを組み合わせる場合には、まず、スイッチ１５をオフにして、主基板１の基準電圧生成回路１４を動作させず、基準電圧を生成する回路を副基板２の基準電圧生成回路９だけにする。したがって、実施の形態１と同様に製造工程の途中であってもそれぞれの基板の単体調整を容易に実施することができ、しかも、単体での回路調整のときと、主基板１と組み合わせたときとで、副基板２に供給されるＳＷ５Ｖの大きさが変化しないから、回路調整を行なう工程が簡略化でき、時間短縮にもなる。
【００４４】
実施の形態５．
図６に示す実施の形態５の電気回路装置では、主基板１の基準電圧生成回路１６内で、実施の形態２のトランジスタに代えて、ツェナーダイオードＺＤに対してジャンパ線１７（可撓性を有する絶縁電線）が直列に接続されている。すなわち、主基板１の製造時ではツェナーダイオードＺＤがこのジャンパ線１７を介して接地されている。ただし、このジャンパ線１７を切断する前に、主基板１の単体調整を実行する必要がある。なお、図６では、実施の形態２として説明した図３のものと同一部分に、対応する参照符号を付けている。
【００４５】
つぎに、上述のように構成された電気回路装置の動作について説明する。
【００４６】
まず、副基板２を単体調整するときは、基準電圧生成回路９のバイアス用の外部端子９ａ、基準電圧出力用の外部端子９ｂ、及び電源電圧ＳＷ５Ｖ供給用の外部端子８ｂを、それぞれ図２に示すように外部電源回路１００と接続する。これにより、信号処理回路７を動作させることができ、副基板２が単体であっても信号処理回路７の回路調整が可能になる。
【００４７】
また、主基板１を単体調整するときは、基準電圧生成回路１６のツェナーダイオードＺＤとグランド間を接続するジャンパ線１７によって、基準電圧生成回路１６のツェナーダイオードＺＤとグランド間が導通状態となっているから、ツェナーダイオードＺＤにおいて基準電圧が発生する。
【００４８】
さらに、主基板１と副基板２とを組み合わせるにあたって、ジャンパ線１７を切断することによって、基準電圧生成回路１６のツェナーダイオードＺＤとグランド間が絶縁状態となり、ツェナーダイオードＺＤに電流が流れなくなって基準電圧は発生しない。そのため、その後に主基板１と副基板２を組み合わせたときには、主基板１の基準電圧生成回路１６が動作せず、基準電圧を生成する回路は副基板２の基準電圧生成回路９だけとなる。したがって、実施の形態１と同様に製造工程の途中であってもそれぞれの基板の単体調整を容易に実施することができ、しかも、単体での回路調整のときと、主基板１と組み合わせたときとで、副基板２に供給されるＳＷ５Ｖの大きさが変化しないから、回路調整を行なう工程が簡略化でき、時間短縮にもなる。
【００４９】
【発明の効果】
この発明は、以上に説明したように構成されているので、以下の効果を奏することができる。
【００５０】
請求項１の発明によれば、副基板が、主基板の電源回路とは異なる外部電源回路と接続可能な外部端子と、主基板の電源回路又は外部電源回路から供給される電圧に対する基準電圧生成手段とを備え、前記副基板を前記主基板から分離した状態では、副基板に外部電源回路から電圧を供給して単体調整を行ない、主基板と副基板とを電気的に接続して電気回路装置とした場合には、副基板の基準電圧生成手段から主基板へ基準電圧を供給するように構成したので、製造工程における調整工程の簡略化及び時間短縮が行える電気回路装置を提供することができる。
【００５１】
請求項２の発明によれば、主基板及び副基板の基準電圧生成手段のいずれもツェナーダイオードによって構成でき、精度よく所定の基準電圧を生成できる。
【００５２】
請求項３の発明によれば、副基板のいずれか一枚で生成される基準電圧が他の副基板及び主基板の基準電圧のいずれよりも小さく設定されているから、各基板を組み合わせた場合に、一枚の副基板で生成した基準電圧以外には、異なる基準電圧が生成されない。
【００５３】
請求項４の発明によれば、主基板には基準電圧生成手段を電源回路から分離する手段を設け、主基板と副基板とを組み合わせて電気回路装置を構成した後には、いずれか１枚の副基板から基準電圧を主基板に供給するとともに、主基板の基準電圧生成手段を電気的に動作させないようにできる。
【００５４】
請求項５の発明によれば、電源回路から分離する手段を、主基板と副基板とを組み合わせた際にオフするトランジスタで構成したから、主基板の単体での回路調整が確実に実施できる。
【００５５】
請求項６の発明によれば、電源回路から分離する手段として、主基板と副基板とを組み合わせた際に基準電圧生成手段を構成する回路基板の一部を破棄可能に構成したから、各基板を接続して簡単に電気回路装置とすることができる。
【００５６】
請求項７の発明によれば、電源回路から分離する手段を、前記主基板と副基板とを組み合わせた際にオフ可能な機械的スイッチで構成したから、主基板の単体での回路調整が確実に実施できる。
【００５７】
請求項８の発明によれば、電源回路から分離する手段として、主基板と副基板とを組み合わせた際に基準電圧生成手段の一部を切断可能な可撓性を有する絶縁電線で構成したから、各基板を接続して簡単に電気回路装置とすることができる。
【図面の簡単な説明】
【図１】この発明に係る実施の形態１の電気回路装置を示すブロック構成図である。
【図２】外部電源回路を副基板に接続した状態で示す図である。
【図３】この発明に係る実施の形態２の電気回路装置を示すブロック構成図である。
【図４】この発明に係る実施の形態３の電気回路装置を示すブロック構成図である。
【図５】この発明に係る実施の形態４の電気回路装置を示すブロック構成図である。
【図６】この発明に係る実施の形態５の電気回路装置を示すブロック構成図である。
【図７】従来の電気回路装置を示すブロック構成図である。
【符号の説明】
１  主基板、  ２  副基板、  ３  基準電圧生成回路、  ４  電源回路、  ５制御回路、  ６  音声回路、  ７  信号処理回路、  ９，１０，１２，１４，１６  基準電圧生成回路、  １１  トランジスタ、  １３  破棄可能な基板部分、  １５  スイッチ、  １７  ジャンパー線、  １００  外部電源回路。
【図１】
0003578879.tif 000002
【図２】
0003578879.tif 000003
【図３】
0003578879.tif 000004
【図４】
0003578879.tif 000005
【図５】
0003578879.tif 000006
【図６】
0003578879.tif 000007
【図７】
0003578879.tif 000008